(57)【要約】【課題】ファン付近に付着した油の状態の判別や、油の清掃を容易に行うことができるレンジフードを提供すること。【解決手段】加熱調理機Ｈの上方に配設されるレンジフード１であって、前記加熱調理機Ｈの設置方向に向かって開口する開口部２１を有するフード本体２と、前記フード本体２の内部に収納されたファン３と、前記ファン３より前記開口部側に着脱自在に配設された油捕集部材４と、前記フード本体の内部に配設され、ＵＶ光の照射方向を変更可能な第１のＵＶ照射手段５と、を備え、前記油捕集部材が取り外されると前記ファンが露出し、前記第１のＵＶ照射手段は、露出した前記ファン付近に向かってＵＶ光を照射可能とする。【選択図】図１
2016125788.tif 000002
【特許請求の範囲】
【請求項１】
加熱調理機の上方に配設されるレンジフードであって、
前記加熱調理機の設置方向に向かって開口する開口部を有するフード本体と、
前記フード本体の内部に収納されたファンと、
前記ファンより前記開口部側に、着脱自在に配設された油捕集部材と、
前記フード本体の内部に配設され、ＵＶ光の照射方向を変更可能な第１のＵＶ照射手段と、
を備え、前記油捕集部材が取り外されると前記ファンが露出し、前記第１のＵＶ照射手段は、露出した前記ファン付近に向かってＵＶ光を照射可能であることを特徴とするレンジフード。
【請求項２】
前記第１のＵＶ照射手段は、３４０〜３８０ｎｍの波長の光を含むＵＶ光を照射可能であることを特徴とする請求項１に記載のレンジフード。
【請求項３】
前記フード本体の内部に第２のＵＶ照射手段が配設されており、この第２のＵＶ照射手段は、前記加熱調理機付近に向かってＵＶ光を照射可能であることを特徴とする請求項１または２に記載のレンジフード。
【発明の詳細な説明】
【技術分野】
【０００１】
本発明は、レンジフードに関する。
【背景技術】
【０００２】
特許文献１には、フード本体の内部に励起手段（近紫外線ランプ）が配設されたレンジフード（換気装置）が記載されている。このレンジフードでは、油捕集部材（フィルター）の表面とフード本体の内面に触媒が担持されており、励起手段によって、触媒を励起、活性化させている。これによって、調理時に付着した油を励起した触媒によって分解することで、油捕集部材の表面とフード本体の内面を浄化している。
【先行技術文献】
【特許文献】
【０００３】
【特許文献１】特開平７−２２９６４０号公報
【発明の概要】
【発明が解決しようとする課題】
【０００４】
特許文献１のレンジフードでは、油捕集部材の表面やフード本体の内面が浄化されるものの、清浄さを維持するためには、所定の時期に油汚れの清掃作業を行うことが求められる。しかしながら、特許文献１のレンジフードでは、油汚れの状態を判別するための工夫や、油汚れを清掃する際の作業負担を軽減するための工夫については検討されていない。特に、油が付着しやすく、丁寧な清掃が望まれるファン付近については、油の付着の状態の判別や、清掃を容易に行うための工夫が求められている。
【０００５】
本発明は、以上のとおりの事情に鑑みてなされたものであり、ファン付近に付着した油の状態の判別や、油の清掃を容易に行うことができるレンジフードを提供することを課題としている。
【課題を解決するための手段】
【０００６】
上記の課題を解決するために、本発明のレンジフードは、加熱調理機の上方に配設されるレンジフードであって、
前記加熱調理機の設置方向に向かって開口する開口部を有するフード本体と、
前記フード本体の内部に収納されたファンと、
前記ファンより前記開口部側に着脱自在に配設された油捕集部材と、
前記フード本体の内部に配設され、ＵＶ光の照射方向を変更可能な第１のＵＶ照射手段と、
を備え、前記油捕集部材が取り外されると前記ファンが露出し、前記第１のＵＶ照射手段は、露出した前記ファン付近に向かってＵＶ光を照射可能であることを特徴としている。
【発明の効果】
【０００７】
本発明のレンジフードによれば、ファン付近に付着した油の状態の判別や、油の清掃を容易に行うことができる。
【図面の簡単な説明】
【０００８】
【図１】本発明のレンジフードの第１実施形態を例示した断面概要図である。
【図２】図１に例示した実施形態のレンジフードの油捕集部材を取り外した状態を例示した断面概要図である。
【図３】本発明のレンジフードの第２実施形態を例示した断面概要図である。
【発明を実施するための形態】
【０００９】
図１は、本発明のレンジフードの第１実施形態を例示した断面概要図である。
【００１０】
レンジフード１は、加熱調理機Ｈの上方の壁Ｗ側に配設されるものであり、加熱調理機Ｈの上方の調理空間Ｓ１からの蒸気、油煙、臭気などを吸引して排気ダクトＤへと送る。
【００１１】
レンジフード１は、フード本体２、ファン３、油捕集部材４および第１のＵＶ（紫外線）照射手段５を備えている。
【００１２】
フード本体２は、加熱調理機Ｈの設置方向に向かって下方向に開口する開口部２１を有している。また、フード本体２の内部には排気空間Ｓ２が形成されており、この排気空間Ｓ２は開口部２１と連通している。さらに、フード本体２の上方には排気ダクトＤが配設されており、内部の排気空間Ｓ２と連通している。
【００１３】
ファン３は、開口部２１の内側の排気空間Ｓ２に収納されている。ファン３の駆動によって調理空間Ｓ１から蒸気、油煙、臭気などが吸引され、排気空間Ｓ２を通じて排気ダクトＤへ送られる。
【００１４】
油捕集部材４は、ファン３より開口部２１側に着脱自在に配設されている。油捕集部材４は、排気空間Ｓ２に流れ込んだ油煙などから油を捕集できるものであればよく、その形態は特に限定されないが、例えば、交換可能なフィルターなどの形態を例示することができる。
【００１５】
第１のＵＶ照射手段５は、フード本体２の内部の開口部２１付近に配設されている。この実施形態のレンジフード１の第１のＵＶ照射手段５は、ファン３および油捕集部材４が配設されている上方向（斜め上方向）を中心にその周囲の領域にもＵＶ光の照射することができる。
【００１６】
第１のＵＶ照射手段５はＵＶ光の照射方向を変更することができる。第１のＵＶ照射手段５によってＵＶ光の照射方向を変更する形態は特に限定されない。例えば、第１のＵＶ照射手段５に可動部（図示していない）を設けて照明方向が手動または電動式などの方式で操作される形態を例示することができる。その他には、例えば第１のＵＶ照射手段５に反射板（図示していない）などを設けて、反射板の操作によってＵＶ光の照射方向（反射方向）を変更する形態などを例示することができる。
【００１７】
また、第１のＵＶ照射手段５は、例えば近紫外線ランプなどを例示することができ、例えば３４０〜３８０ｎｍの波長の光を含むＵＶ光を照射できるものが好ましい。第１のＵＶ照射手段５からのＵＶ光が、３４０〜３８０ｎｍの波長の光を含む場合には、より確実にファン３付近に付着している油を可視化することができ、油の清掃をさらに容易に行うことができる。
【００１８】
さらに、第１のＵＶ照射手段５は、ＵＶ光の照度や波長を制御するための制御機構を備えていてもよい。
【００１９】
図２は、図１に例示した実施形態のレンジフードの油捕集部材を取り外した状態を例示した断面概要図である。
【００２０】
この実施形態のレンジフード１は、油捕集部材４を取り外すことで、ファン３が開口部２１を通じて下方に露出する。そして、第１のＵＶ照射手段５は、露出したファン３付近（ファン３とその周囲）に向かってＵＶ光を照射することができる。この際、ＵＶ光の照射方向を調節することで、ファン３付近の適宜な位置にＵＶ光を照射することができる。
【００２１】
このレンジフード１では、第１のＵＶ照射手段５は、露出したファン３付近に付着している油にＵＶ光を照射することができる。これによって、ＵＶ光が照射された油は、その成分（例えば、芳香族化合物）が反応して蛍光を発するため、ファン３付近に付着している油を可視化することができ、ファン３付近に付着した油の状態を容易に判別することができる。このため、清掃による油汚れの落ち具合を視認しやすく、ファン３付近に付着した油の清掃を容易に行うことができる。さらに、ＵＶ光によってファン３付近に付着している油が可視化されることで、ファン３の清掃時期の目安も容易に把握することができる。
【００２２】
図３は、本発明のレンジフードの第２実施形態を例示した断面概要図である。第１実施形態と共通する部分には同一の符号を付し、以下では説明を省略する。
【００２３】
この実施形態のレンジフードは、フード本体２の内部の開口部２１付近に、第１の照射手段５とは別の第２のＵＶ照射手段６を備えている。第２のＵＶ照射手段６は、第１のＵＶ照射手段５と同様に、ＵＶ光の照射方向が変更可能な近紫外線ランプなどを例示することができ、例えば３４０〜３８０ｎｍの波長の光を含むＵＶ光を照射できるものが好ましい。
【００２４】
第２のＵＶ照射手段６は、上方から加熱調理機Ｈ付近に向かってＵＶ光を照射することができる。この実施形態においては、「加熱調理機Ｈ付近」には、キッチンコンロや電磁調理器などの加熱調理機Ｈが配設されている領域と、これらの加熱調理機Ｈの周囲に位置するカウンター、壁Ｗなどが含まれる。
【００２５】
第２のＵＶ照射手段６からＵＶ光を照射することで、加熱調理機Ｈ付近に付着している油が蛍光を発するため、加熱調理機Ｈ付近に付着している油を可視化することができる。したがって、加熱調理機Ｈ付近に付着した油の状態の判別が容易であり、清掃による油汚れの落ち具合を視認しやすく、加熱調理機Ｈ付近に付着した油の清掃を容易に行うことができる。
【００２６】
以上の通り、レンジフード１は、加熱調理機Ｈの上方に配設されるものであって、以下の構成を有している。
【００２７】
加熱調理機Ｈの設置方向に向かって開口する開口部２１を有するフード本体２。フード本体２の内部に収納されたファン３。ファ３ンより開口部２１側に着脱自在に配設された油捕集部材４。フード本体２の内部に配設され、ＵＶ光の照射方向が変更可能な第１のＵＶ照射手段５。
【００２８】
そして、レンジフード１は、油捕集部材４が取り外されるとファン３が露出し、第１のＵＶ照射手段５は、露出したファン３付近に向かってＵＶ光を照射可能である。
【００２９】
本発明のレンジフードは、以上の実施形態に限定されることはない。例えば、第１のＵＶ照射手段および第２のＵＶ照射手段の具体的な形態や、配設位置、配設数などは具体的に限定されず、適宜設計することができる。
【符号の説明】
【００３０】
１      レンジフード
２      フード本体
２１    開口部
３      ファン
４      油捕集部材
５      第１のＵＶ照射手段
６      第２のＵＶ照射手段
Ｈ      加熱調理器
【図１】
2016125788.tif 000003
【図２】
2016125788.tif 000004
【図３】
2016125788.tif 000005